(57)【特許請求の範囲】
【請求項１】
蓋体に鏡を装着したコンパクトであって、
蓋体に取着された台枠に立設された支枠の上部に、変形・復元可能な連結部を設け、該連結部がヒンジとして形成され、該連結部には、鏡押え枠が連設されており、
該鏡押え枠が、鏡を上部から押える押え板と該押え板に直交する保持板とを具え、
鏡押え枠の廻動により、鏡を着脱するようにしたことを特徴とするコンパクト。
【請求項２】
台枠下端に係止溝を設け、鏡押え枠を廻動し鏡を押圧したときに、係止溝に対向する保持板の裏面下端位置に、前記係止溝に係止される係合突条を突設したことを特徴とする請求項１記載のコンパクト。
【請求項３】
鏡装着時に水平状態とした保持板に鏡を載置し、鏡押え枠を廻動させて鏡を押え板で押圧することによって、蓋体底面に保持させるようにしたことを特徴とする請求項１または２記載のコンパクト。
【請求項４】
鏡押え枠を廻動させ、保持板によって鏡を持ち上げ、取外し可能としたことを特徴とする請求項１または２記載のコンパクト。
【発明の詳細な説明】
【０００１】
【発明の属する技術分野】
本発明は、コンパクト、とくに蓋体に鏡を着脱自在として取着したコンパクトに関する。
【０００２】
【従来の技術】
鏡付のコンパクト容器において、コンパクト容器の廃棄時に鏡を蓋体から取外すようにすることは、例えば特開平１１−１６９２２８号公報、特開２０００−２１７６８１号公報、特開２０００−４１７２９号公報に記載されているように、従来より知られている。
【０００３】
【発明が解決しようとする課題】
上記特開平１１−１６９２２８号公報記載の容器は、鏡と蓋体とを接着テープで接着し、鏡の取外しにあたって、接着テープを蓋体から剥がして鏡を容器より分離するようにしている。
しかしながら、鏡の接着テープによる取付け、取外しが簡単にできないという問題点があった。
【０００４】
前記特開２０００−２１７６８１号公報記載の容器は、鏡の固定部材として形状記憶樹脂を用い、鏡の取付けにあたって、所定の温度に加熱、加圧して固定部材を変形させ、その後に冷却して鏡を固定するようにしており、鏡の取外しにあたっては、固定部材を所定の温度まで加熱して変形前の状態に復元して、鏡を取外すようにしている。
しかしながら、鏡の取付けにあたっては、固定部材を所定の個所に取付け、加熱、加圧しなければならず、取付作業が簡単でないという問題があり、鏡の取外しにあたっても、所定温度に加熱しなければならず、ユーザーにとって取外し作業が面倒であるという問題点があった。
【０００５】
また、特開２０００−４１７２９号公報記載の容器は、係止突条と着脱自在とした凹陥部に取着した係止部材によって、鏡の両側を係止し、鏡の取外しにあたっては、係止部材を移動させ、凹陥部から取外すようにしている。
しかしながら、鏡に対する係止部材の係止面を大きくとることができないため、使用中に衝撃などにより、鏡が外れるというおそれがあった。
【０００６】
本発明は、上記問題点を解決することを課題とし、鏡を蓋体面に確実に取付けるようにするとともに、取外しが極めて簡単にでき、容器と鏡を分別廃棄できるようにしたコンパクトを提供することを目的とする。
【０００７】
【課題を解決するための手段】
本発明は、上記の課題を解決するため、コンパクトとして、蓋体に鏡を装着したコンパクトであって、蓋体に取着された台枠に立設された支枠の上部に、変形・復元可能な連結部を設け、該連結部がヒンジとして形成され、該連結部には、鏡押え枠が連設されており、該鏡押え枠が、鏡を上部から押える押え板と該押え板に直交する保持板とを具え、鏡押え枠の廻動により、鏡を着脱するようにしたことを特徴とする構成を採用する。
【０００８】
押え枠の具体的な実施態様として、台枠下端に係止溝を設け、鏡押え枠を廻動し鏡を押圧したときに、係止溝に対向する保持板の裏面下端位置に、前記係止溝に係止される係合突条を突設したことを特徴とする構成を採用する。
鏡装着にあたっては、鏡装着時に水平状態とした保持板に鏡を載置し、鏡押え枠を廻動させて鏡を押え板で押圧することによって、蓋体底面に保持させるようにし、鏡の取外しにあたっては、鏡押え枠を廻動させ、保持板によって鏡を持ち上げ、取外し可能とする。
【０００９】
【発明の実施の形態】
次に、本発明の実施形態について、図面を参照して説明する。
図１において、Ａはケース本体、Ｂは蝶番を介してケース本体Ａに取着された蓋体である。
ケース本体Ａは、側周壁１と底壁２とを具えており、化粧皿収納部が形成されている。
後方の側周壁１ａには、蓋体Ｂの蝶番連結片を取着するための切欠部３が設けられ、前方の側周壁１ｂには係止機構４を設けた凹部が形成されている。
【００１０】
図１，２に示すように、蓋体Ｂは、蓋本体１０と、鏡１１を蓋本体１０に装着する鏡保持部材１２とを具えている。
蓋本体１０は、頂壁１３と前後左右の側周壁１４ａ，ｂ，ｃ，ｄとからなっており、側周壁１４ａには、蝶番を形成する連結片１５が設けられており、反対側の側周壁１４ｂには、先端に突起を設けた係止片１６が立設されている。
左右の側周壁１４ｃ，ｄの内周面下方部には、鏡保持部材１２を定位置に保持するために、横方向に延びる膨出突条１７が設けられている。
【００１１】
図２，３に示すように、鏡保持部材１２は、側周壁１４ａ，ｂ，ｃ，ｄの内周に保持された前後左右の四つの枠体２０ａ，ｂ，ｃ，ｄから形成される台枠２０と、鏡押え枠２１とを具えている。
前後の枠体２０ａ，ｂには、左右に切欠部２２ａ，ｂを形成するようにして鏡の位置規制のための突出片２３ａ，ｂが形成されており、左右の枠体２０ｃ，ｄの内周に沿って鏡押え枠２１の支枠２４ａ，ｂが立設されている。
【００１２】
支枠２４の上端内周縁には、薄肉の変形・復元可能な連結部２５がヒンジとして形成され、該連結部２５には、鏡押え枠２１が連設されており、支枠２４の下方の枠体２０ｃ，ｄ下端には、係止溝２６が設けられている。
【００１３】
鏡押え枠２１は、押え板２７と、該押え板２７に対して直角方向に延びる保持板２８とを具えており、押え板２７と保持板２８の周縁角部２９は、連結部２５に連設され、鏡押え枠２１は、連結部２５を軸として廻動自在となっている。
保持板２８の内周面は鏡の保持面３０となっており、外周面３１の下端には係合突条３２が設けられており、押え板２７の両端には、上面を広巾の押圧面３３とした操作片３４が連設されている。
【００１４】
鏡１１の装着は、図３（ａ）に示すように、双方の鏡押え枠２１をそれぞれの押え板２７を直立させた状態で保持板２８の保持面３０に鏡１１を載置し、操作片３４を一方の側から順次、または両側を同時に廻動させていくと、鏡押え枠２１の保持板２８が垂直となり、外周面３１が枠体２０ｃ，ｄに圧接され、係止溝２６に係合突条３２が係止され、鏡１１は蓋本体１０の頂壁１３下面に接合し、押え板２７によって押圧されて定位置に保持される。
【００１５】
本発明コンパクトは、ケース本体に装着された化粧料収納皿を取替えることによって永く使用することができるが、最終的に廃棄するときには、鏡を取外し、プラスチック製の容器とガラスまたは金属製の鏡とを分離して分別廃棄する。
【００１６】
図４に示すように、鏡１１の取外しには、まず、一方の側の操作片３４を操作して押え板２７を直立させる方向に鏡押え枠２１を廻動させると、保持板２８の保持面３０下端３０ａが鏡１１の側面の下端１１ａに圧接し、保持板２８の廻動とともに、その下端３０ａの力が側面の下端１１ａを押圧するとともに、保持板２８の傾斜方向に力が働き、鏡１１の側面を上昇させる。
【００１７】
次いで、保持板２８の廻動に従って、鏡１１の側面の下端１１ａが保持面３０に沿って上昇し、保持板２８の下端３０ａが鏡１１の下側に入り込むとともに、押え板２７を直立させるよう廻動されるので、鏡１１側面下端１１ａの側は、水平状態となった保持板２８に載置される。
【００１８】
次いで、もう一方の側の操作片３４を廻動させると、前記と同様の作用によって、鏡１１の他方の側面も保持板２８上に載置されるようになり、鏡１１を把持して容器から取外すことができる。
また、双方の側の操作片３４と同時に廻動させると、鏡１１を水平状態のまま上昇させることもできる。
【００１９】
次に、保持板と蓋体頂壁との変形実施例について説明する。
前記実施形態では、鏡の下端と保持板の下端面を面一になるようにしているが、図５に示すように、段差を付けるようにしてもよい。
以下、相違点を中心に説明する。
【００２０】
図５において、４０は蓋体の頂壁、４１は側壁、４２は鏡保持部材、４３は鏡である。
鏡保持部材４２は、前記実施形態のものと同様に、支枠４４を立設した台枠４５と鏡押え枠４６とからなり、鏡押え枠４６は、押え板４７と保持板４８、操作片４９とを具えている。
【００２１】
蓋体Ｂの頂壁４０の底面には、台枠４５の内周縁に沿って凹溝５０が設けられており、保持板４７の下端面５１は、凹溝５０内に位置しており、鏡４３の下面４３ａより下側となっている。
鏡４３の取外し時には、操作片４９を操作して保持板４８を廻動させると、保持板４８の保持面４８ａは、鏡４３の下面４３ａの端縁に接合し、鏡４３の下面４３ａを保持面４８ａに沿って滑らせながら上昇させることになるので、鏡押え枠４６の作動は確実となる。
【００２２】
また、図５（ｃ）に示すように、保持板４８の下端面５１内周縁に、鏡４３の下面に係合する突条５２を設けてもよい。
そのことによって、保持板４８の廻動開始時に、鏡４３を持ち上げ、廻動に従って保持面４８ａに沿って滑らせながら上昇させることになるので、鏡押え枠４６の作動は、一層円滑に行うことができる。
【００２３】
また、凹溝５０を設けることに替え、鏡４３を持ち上げるために頂壁４０の下面に段差面を設けるか、または、角形の突起条を設けて、鏡の下面４３ａが保持板４８の下端面より上になるようにしても、同等の作用効果を得ることができる。
【００２４】
【発明の効果】
本発明は、上記のように構成されているから、次の効果を奏する。
鏡押え枠を、変形、復元可能な連結部をヒンジとして支枠に取付け、操作片を操作して鏡押え枠を廻動するようにしたから、鏡の取付けと取外しが簡単にできるようになった。
そのことによって、コンパクトとコンパクトに装着された鏡とを簡単に分離して廃棄できるようになった。
【図面の簡単な説明】
【図１】本発明コンパクト容器の斜視図である。
【図２】反転状態とした蓋体の説明図で、（ａ）は斜視図、（ｂ）は図（ａ）のＡ−Ａ線における断面図、（ｃ）は要部の詳細説明図である。
【図３】鏡保持部材の説明図で、（ａ）は鏡押え枠を廻動させたときの斜視図、（ｂ）は鏡押え枠が復元して鏡を押圧したときの斜視図である。
【図４】鏡取外し時の作用説明図で、（ａ）は廻動開始時、（ｂ）は鏡持ち上げ時の説明図である。
【図５】  別実施例の鏡押え枠と蓋体頂壁との説明図で、（ａ）は断面図、（ｂ）は作用説明図、（ｃ）は他の実施例の説明図である。
【符号の説明】
Ａ          ケース本体
Ｂ          蓋体
１０        蓋本体
１１、４３  鏡
１１ａ      下端
１２、４２  鏡保持部材
１３、４０  頂壁
１４ａ，ｂ，ｃ，ｄ  側周壁
１５        連結片
１６        係止片
１７        膨出部
２０、４５  台枠
２０ａ，ｂ，ｃ，ｄ  枠体
２１、４６  鏡押え枠
２２ａ，ｂ  切欠部
２３ａ，ｂ  突出部
２４ａ，ｂ、４４  支枠
２５        連結部
２６        係止溝
２７、４７  押え板
２８、４８  保持板
２８ａ      外周面
２９        周縁角部
３０        保持面
３０ａ      下端
３１        外周面
３２        係合突条
３３        押圧面
３４、４９  操作片
４１        側壁
４３ａ      下面
４８ａ      保持面
５０        凹溝
５１        下端面
５２        突条
【図１】
0004316166.tif 000002
【図２】
0004316166.tif 000003
【図３】
0004316166.tif 000004
【図４】
0004316166.tif 000005
【図５】
0004316166.tif 000006